(57)【要約】【課題】音楽情報の書き換えに要する手間を軽減するとともに時間を短縮することができる音楽情報記録再生装置を提供すること。【解決手段】ハードディスク装置２０には、それまでに蓄積された多数の楽曲の音楽情報が格納されている。オーディオ制御部２６は、デジタル放送受信機１０等の各種のオーディオソースを用いて音楽情報を再生中に、この音楽情報の品質と、ハードディスク装置２０に格納されている同じ楽曲の音楽情報の品質とを比較し、再生中の音楽情報の品質の方が良好である場合には、ハードディスク装置２０内の音楽情報を自動的に書き換える処理を行う。【選択図】　　　　図１
2004134010.tif 000002
【特許請求の範囲】
【請求項１】
複数の楽曲のそれぞれに対応する第１の音楽情報を蓄積する音楽情報蓄積装置と、
第２の音楽情報を取得する音楽情報取得手段と、
前記音楽情報取得手段によって取得された前記第２の音楽情報と同じ楽曲の前記第１の音楽情報を検索する検索手段と、
前記検索手段によって検索された前記第１の音楽情報と前記第２の音楽情報とを比較し、これらの関係が所定の基準を満たしているか否かを判定する比較判定手段と、
前記比較判定手段によって前記所定の基準を満たしていると判定されたときに、前記第２の音楽情報で前記第１の音楽情報を書き換える書換処理手段と、
前記音楽情報蓄積装置に蓄積された前記第１の音楽情報を読み出して再生する音楽再生手段と、
を備えることを特徴とする音楽情報記録再生装置。
【請求項２】
請求項１において、
前記所定の基準には、品質が異なる２つの音楽情報について書換処理を行う条件が設定されており、
前記書換処理手段は、前記第２の音楽情報の品質の方が前記第１の音楽情報の品質よりも高いときに、音楽情報の書き換えを行うことを特徴とする音楽情報記録再生装置。
【請求項３】
請求項２において、
前記音楽情報の品質は、映像データおよびタグ情報が付随しない音楽情報、静止画の映像データが付随した音楽情報、静止画の映像データとタグ情報が付随した音楽情報、動画の映像データとタグ情報が付随した音楽情報、の順に高くなることを特徴とする音楽情報記録再生装置。
【請求項４】
請求項１において、
前記所定の基準には、音質が異なる２つの音楽情報について書換処理を行う条件が設定されており、
前記書換処理手段は、前記第２の音楽情報を用いて行われる音楽再生の音質の方が前記第１の音楽情報を用いて行われる音楽再生の音質よりも良好であるときに、音楽情報の書き換えを行うことを特徴とする音楽情報記録再生装置。
【請求項５】
請求項１において、
前記所定の基準には、映像データが附随する音楽情報と映像データが附随しない音楽情報について書換処理を行う条件が設定されており、
前記書換処理手段は、前記第２の音楽情報に映像データが附随し、前記第１の音楽情報に映像データが附随していないときに、音楽情報の書き換えを行うことを特徴とする音楽情報記録再生装置。
【請求項６】
請求項１において、
前記所定の基準には、静止画の映像データが附随する音楽情報と動画の映像データが附随する音楽情報について書換処理を行う条件が設定されており、
前記書換処理手段は、前記第２の音楽情報に動画の映像データが附随し、前記第１の音楽情報に静止画の映像データが附随しているときに、音楽情報の書き換えを行うことを特徴とする音楽情報記録再生装置。
【請求項７】
請求項１において、
前記所定の基準には、同じ符号化方式であって異なる圧縮率で符号化処理された２つの音楽情報について書換処理を行う条件が設定されており、
前記書換処理手段は、前記第２の音楽情報の圧縮率が前記第１の音楽情報の圧縮率よりも低いときに、音楽情報の書き換えを行うことを特徴とする音楽情報記録再生装置。
【請求項８】
請求項１において、
前記所定の基準には、異なる符号化方式を用いて符号化処理された２つの音楽情報について書き換えを行う条件が設定されており、
前記書換処理手段は、前記第２の音楽情報を用いて行われる音楽再生の音質が前記第１の音楽情報を用いて行われる音楽再生の音質よりも良好であるときに、音楽情報の書き換えを行うことを特徴とする音楽情報記録再生装置。
【請求項９】
請求項１〜８のいずれかにおいて、
前記書換処理手段は、前記第２の音楽情報を用いて行われる音楽再生の時間の方が前記第１の音楽情報を用いて行われる音楽再生の時間よりも短いときに、音楽情報の書き換えを行わないことを特徴とする音楽情報記録再生装置。
【請求項１０】
請求項１〜９のいずれかにおいて、
前記検索手段による検索の結果、前記第２の音楽情報と同じ楽曲の前記第１の音楽情報が前記音楽情報蓄積装置に蓄積されていないことがわかったときに、前記第２の音楽情報を前記音楽情報蓄積装置に蓄積する音楽情報追加手段をさらに備えることを特徴とする音楽情報記録再生装置。
【請求項１１】
請求項１０において、
前記音楽情報追加手段は、前記書換処理手段によって音楽情報の書き換えが行われなかったときに、前記第２の音楽情報の方が前記第１の音楽情報よりも有利な点が存在した場合に、前記第２の音楽情報を、書き換えの比較対象となった前記第１の音楽情報とは別に前記音楽情報蓄積装置に蓄積することを特徴とする音楽情報記録再生装置。
【請求項１２】
請求項１〜１１のいずれかにおいて、
前記音楽情報蓄積装置は、ハードディスク装置であることを特徴とする音楽情報記録再生装置。
【請求項１３】
請求項１〜１２のいずれかにおいて、
前記音楽情報取得手段は、デジタル放送受信機であることを特徴とする音楽情報記録再生装置。
【請求項１４】
請求項１〜１３のいずれかにおいて、
前記音楽情報取得手段は、ディスク型記録媒体に記録された音楽情報を再生するプレーヤであることを特徴とする音楽情報記録再生装置。
【請求項１５】
請求項１〜１４のいずれかにおいて、
前記音楽情報取得手段は、挿抜可能なカード型の半導体メモリであることを特徴とする音楽情報記録再生装置。
【発明の詳細な説明】
【０００１】
【発明の属する技術分野】
本発明は、ハードディスク等の大容量記憶装置に記録された音楽情報を読み出して再生する音楽情報記録再生装置に関する。
【０００２】
【従来の技術】
最近の車載用オーディオ装置の中にはハードディスク装置を備えたものがある（例えば、特許文献１参照。）。このハードディスク装置には、ＭＰ３（ＭＰＥＧ　Ａｕｄｉｏ　Ｌａｙｅｒ　３）方式等で圧縮した大量の音楽情報を蓄積することが可能であり、ＣＤ（コンパクトディスク）やＭＤ（ミニディスク）等のディスク型記録媒体に記録された音楽情報を読み出して再生する場合と異なり、ディスクの交換を行うことなく音楽情報を読み出して再生することが可能になる。
【０００３】
【特許文献１】
特開２００１−１４３３６９号公報（第５−１１頁、図１−４）
【０００４】
【発明が解決しようとする課題】
ところで、上述した特許文献１に開示されたオーディオ装置としての機能を有するナビゲーション装置等では、ハードディスク装置にあらかじめ音楽情報を蓄積する必要があるが、音楽情報の取得方法は多岐に渡るため、蓄積されている音楽情報の品質もまちまちであって、色々な音楽情報が混在している。特に、最近では、音質が良く、しかも、静止画や動画の映像データや、曲名やアーティスト名等が含まれるタグ情報が付随した音楽データが、デジタル放送やインターネット経由で入手可能であるため、同じ楽曲で音質が悪く、映像データやタグ情報が付いていない古い音楽情報が蓄積されている場合には、新しく取得した音楽データで古い音楽情報を書き換える編集処理を行うことが望ましいが、ＭＰ３方式等で圧縮された大量の音楽情報の中から該当する古い音楽情報を検索したり、さらに新しい音楽情報に書き換えるか否かをそれぞれの再生音を聴くなどして判定する必要があり、音楽情報の書き換えに多大な手間と時間がかかるという問題があった。
【０００５】
本発明は、このような点に鑑みて創作されたものであり、その目的は、音楽情報の書き換えに要する手間を軽減するとともに時間を短縮することができる音楽情報記録再生装置を提供することにある。
【０００６】
【課題を解決するための手段】
上述した課題を解決するために、本発明の音楽情報記録再生装置は、複数の楽曲のそれぞれに対応する第１の音楽情報を蓄積する音楽情報蓄積装置と、第２の音楽情報を取得する音楽情報取得手段と、音楽情報取得手段によって取得された第２の音楽情報と同じ楽曲の第１の音楽情報を検索する検索手段と、検索手段によって検索された第１の音楽情報と第２の音楽情報とを比較し、これらの関係が所定の基準を満たしているか否かを判定する比較判定手段と、比較判定手段によって所定の基準を満たしていると判定されたときに、第２の音楽情報で第１の音楽情報を書き換える書換処理手段と、音楽情報蓄積装置に蓄積された第１の音楽情報を読み出して再生する音楽再生手段とを備えている。これにより、音楽情報蓄積装置に蓄積されている音楽情報を所定の基準にしたがって自動的に書き換えることが可能になるため、書き換え作業が不要であって、音楽情報の書き換えに要する手間を軽減するとともに時間を短縮することができる。
【０００７】
また、上述した所定の基準には、品質が異なる２つの音楽情報について書換処理を行う条件が設定されており、書換処理手段は、第２の音楽情報の品質の方が第１の音楽情報の品質よりも高いときに、音楽情報の書き換えを行うことが望ましい。このようにして品質を基準にして音楽情報の書き換えを行うことにより、音楽情報蓄積装置に蓄積された各音楽情報を順に品質が高いものに書き換えることが可能になる。
【０００８】
また、上述した音楽情報の品質は、映像データおよびタグ情報が付随しない音楽情報、静止画の映像データが付随した音楽情報、静止画の映像データとタグ情報が付随した音楽情報、動画の映像データとタグ情報が付随した音楽情報、の順に高くなることが望ましい。このような基準を設けることにより、音楽情報蓄積装置に蓄積された各音楽情報を、利用者により多くの情報（画像やタグ情報）を提供することができる音楽情報に書き換えることができる。
【０００９】
また、上述した所定の基準には、音質が異なる２つの音楽情報について書換処理を行う条件が設定されており、書換処理手段は、第２の音楽情報を用いて行われる音楽再生の音質の方が第１の音楽情報を用いて行われる音楽再生の音質よりも良好であるときに、音楽情報の書き換えを行うことが望ましい。このような基準を設けることにより、音楽情報蓄積装置に蓄積された各音楽情報を、より高音質なものに書き換えることが可能になる。
【００１０】
また、上述した所定の基準には、映像データが附随する音楽情報と映像データが附随しない音楽情報について書換処理を行う条件が設定されており、書換処理手段は、第２の音楽情報に映像データが附随し、第１の音楽情報に映像データが附随していないときに、音楽情報の書き換えを行うことが望ましい。このような基準を設けることにより、音楽情報蓄積装置に蓄積された映像データなしの各音楽情報を、順に映像データ付きの音楽データに置き換えることができる。
【００１１】
また、上述した所定の基準には、静止画の映像データが附随する音楽情報と動画の映像データが附随する音楽情報について書換処理を行う条件が設定されており、書換処理手段は、第２の音楽情報に動画の映像データが附随し、第１の音楽情報に静止画の映像データが附随しているときに、音楽情報の書き換えを行うことが望ましい。このような基準を設けることにより、音楽情報蓄積装置に蓄積された静止画の映像データ付きの各音楽情報を、順に動画の映像データ付きの音楽情報に書き換えることが可能になる。
【００１２】
また、上述した所定の基準には、同じ符号化方式であって異なる圧縮率で符号化処理された２つの音楽情報について書換処理を行う条件が設定されており、書換処理手段は、第２の音楽情報の圧縮率が第１の音楽情報の圧縮率よりも低いときに、音楽情報の書き換えを行うことが望ましい。このような基準を設けることにより、音楽情報蓄積装置に蓄積された所定の符号化方式で符号化された各音楽情報を、同じ符号化方式で符号化されたさらに高音質な音楽情報に書き換えることができる。
【００１３】
また、上述した所定の基準には、異なる符号化方式を用いて符号化処理された２つの音楽情報について書き換えを行う条件が設定されており、書換処理手段は、第２の音楽情報を用いて行われる音楽再生の音質が第１の音楽情報を用いて行われる音楽再生の音質よりも良好であるときに、音楽情報の書き換えを行うことが望ましい。このような基準を設けることにより、音楽情報蓄積装置に蓄積された各音楽情報を、符号化方式が異なるさらに高音質な音楽情報に書き換えることができる。
【００１４】
また、上述した書換処理手段は、第２の音楽情報を用いて行われる音楽再生の時間の方が第１の音楽情報を用いて行われる音楽再生の時間よりも短いときに、音楽情報の書き換えを行わないことが望ましい。これにより、再生時間を優先させた書き換え処理が可能になり、利用者は、音楽情報の音声再生を可能な限り長時間楽しむことができる。
【００１５】
また、上述した検索手段による検索の結果、第２の音楽情報と同じ楽曲の第１の音楽情報が音楽情報蓄積装置に蓄積されていないことがわかったときに、第２の音楽情報を音楽情報蓄積装置に蓄積する音楽情報追加手段をさらに備えることが望ましい。これにより、音楽情報蓄積装置に蓄積されていない音楽情報を順に追加することが可能になり、音楽情報の蓄積量を増加させることができる。
【００１６】
また、上述した音楽情報追加手段は、書換処理手段によって音楽情報の書き換えが行われなかったときに、第２の音楽情報の方が第１の音楽情報よりも有利な点が存在した場合に、第２の音楽情報を、書き換えの比較対象となった第１の音楽情報とは別に音楽情報蓄積装置に蓄積することが望ましい。これにより、楽曲が同じであっても異なる特徴を有する複数の音楽情報を再生することが可能になる。
【００１７】
また、上述した音楽情報蓄積装置は、ハードディスク装置であることが望ましい。これにより、大容量の音楽情報蓄積装置を比較的安価に実現することが可能になる。
また、上述した音楽情報取得手段は、デジタル放送受信機であることが望ましい。デジタル放送ではデジタル化された音楽情報が配信されるため、デジタル放送受信機を音楽情報取得手段として用いることにより、品質等が劣化せずに高品質の維持が可能な音声情報の蓄積が可能になる。
【００１８】
また、上述した音楽情報取得手段は、ディスク型記録媒体に記録された音楽情報を再生するプレーヤであることが望ましい。これにより、ＣＤやＤＶＤ等から音楽情報を取得することができるため、音楽情報の取得範囲を広げることが可能になる。
【００１９】
また、上述した音楽情報取得手段は、挿抜可能なカード型の半導体メモリであることが望ましい。これにより、パソコン（パーソナルコンピュータ）を用いてインターネット等を経由して取得した音楽情報を容易に転送することが可能になる。
【００２０】
【発明の実施の形態】
以下、本発明を適用した一実施形態の音楽情報記録再生装置について、図面を参照しながら詳細に説明する。
図１は、一実施形態の車載用の音楽情報記録再生装置の構成を示す図である。図１に示すように、本実施形態の音楽情報記録再生装置は、デジタル放送受信機１０、ラジオ受信機１２、ＣＤプレーヤ１４、ＭＤプレーヤ１６、ＭＰ３プレーヤ１８、ハードディスク装置２０、メモリカード２２、カードスロット２４、オーディオ制御部２６、スピーカ２８、ディスプレイ装置３０、操作部３２を含んで構成されている。
【００２１】
デジタル放送受信機１０は、デジタル方式で配信される放送プログラムを受信する受信機であって、この放送プログラムには静止画／動画の映像データやタグ情報が適宜付随したＭＰＥＧ（Ｍｏｖｉｎｇ　Ｐｉｃｔｕｒｅ　Ｅｘｐｅｒｔｓ　Ｇｒｏｕｐ）方式のデジタルの音楽情報が含まれている。ラジオ受信機１２は、アナログ方式のＡＭ放送波およびＦＭ放送波で配信される放送プログラムを受信する受信機であって、この放送プログラムには映像データやタグ情報が付随しないアナログの音楽情報が含まれている。
【００２２】
ＣＤプレーヤ１４は、ＣＤに記録された音楽情報を読み出して再生する。この音楽情報の符号化は、リニアＰＣＭ（Ｐｕｌｓｅ　Ｃｏｄｅ　Ｍｏｄｕｌａｔｉｏｎ）方式によって行われている。ＭＤプレーヤ１６は、ＭＤに記録された音楽情報を読み出して再生する。この音楽情報の符号化は、ＡＴＲＡＣ（Ａｄａｐｔｉｖｅ　Ｔｒａｎｓｆｏｒｍ　Ａｃｏｕｓｔｉｃ　Ｃｏｄｉｎｇ）方式によって行われている。ＭＰ３プレーヤ１８は、ＭＰ３方式で圧縮された音楽情報を読み出して再生する。
【００２３】
ハードディスク装置２０は、上述したデジタル放送受信機１０、ラジオ受信機１２、ＣＤプレーヤ１４、ＭＤプレーヤ１６、ＭＰ３プレーヤ１８によって利用者の指示に応じて再生された音楽情報を順次蓄積する大容量記憶装置である。メモリカード２２は、パソコン（図示せず）等との間で音楽情報やその他の情報を交換するためのものであり、カードスロット２４に対して挿抜可能な状態で装着される。例えば、インターネットを経由して音楽配信サーバから送信されたＭＰ３方式の音楽情報をパソコンで受信した場合に、この受信した音楽情報をパソコンに装着したメモリカード２２に記録することができる。このメモリカード２２は、パソコンから取り出してカードスロット２４に装着することができ、ＭＰ３プレーヤ１８によって、メモリカード２２に記録されたＭＰ３方式の音楽情報を読み出して再生することが可能になる。
【００２４】
オーディオ制御部２６は、ラジオ受信機１２、ＣＤプレーヤ１４、ＭＤプレーヤ１６、ＭＰ３プレーヤ１８のそれぞれから出力される再生音声をスピーカ２８から出力したり、再生映像をディスプレイ装置３０に表示する処理を行う。
ところで、本実施形態では、デジタル放送受信機１０等から出力される再生処理後の音声情報や映像情報がオーディオ制御部２６に入力されるが、これらとは別に、再生処理前の符号化された状態の音声情報もオーディオ制御部２６に入力されており、必要に応じてハードディスク装置２０に蓄積する処理が行われる。
【００２５】
操作部３２は、利用者がオーディオソースを選択して再生を指示したり、音量等の再生状態を指示したりするためのものであり、所定の操作キーを備える。
上述したオーディオ制御部２６は、ラジオ受信機１２、ＣＤプレーヤ１４、ＭＤプレーヤ１６、ＭＰ３プレーヤ１８および操作部３２と内部バス（あるいは車内バス）９０を介して相互に接続されており、再生音声データや再生前の音楽情報あるいは各種の制御情報等がこの内部バス９０を介して入出力されている。
【００２６】
図２は、オーディオ制御部２６およびハードディスク装置２０の詳細構成を示す機能ブロック図である。図２に示すように、オーディオ制御部２６は、音楽・映像再生部１００、音楽情報記録部１１０、解析部１１２、検索部１１４、比較部１１６、書換処理部１１８を備えている。また、ハードディスク装置２０には、蓄積音楽情報２００、取得音楽情報２０２、管理情報２０４、基準情報２０６が格納されている。
【００２７】
音楽・映像再生部１００は、デジタル放送受信機１０、ラジオ受信機１２、ＣＤプレーヤ１４、ＭＤプレーヤ１６、ＭＰ３プレーヤ１８から出力される再生音声と再生映像をスピーカ２８、ディスプレイ装置３０に出力する。例えば、デジタルのラジオ受信機１２以外のデジタル放送受信機１０等からはデジタルの再生音声データや再生映像データが出力されるため、これらのデータがＤ／Ａ（デジタル−アナログ）変換された後に増幅されて出力される。また、ラジオ受信機１２からはアナログの音声信号が出力されるため、この音声信号が増幅されて出力される。
【００２８】
また、音楽・映像再生部１００は、ハードディスク装置２０に格納された蓄積音楽情報２００の中から利用者が選択した一の楽曲の音楽情報を読み出して再生音声および再生映像を生成する処理を行う。蓄積音楽情報２００に含まれる各楽曲の音楽情報は、デジタル放送受信機１０等の各種のオーディオソースを用いて取得したものであって符号化方式も様々であるため、音楽・映像再生部１００では、これら複数の符号化方式の音楽情報を再生可能な構成を有している。
【００２９】
音楽情報記録部１１０は、デジタル放送受信機１０等の各種のオーディオソースを用いて再生中の楽曲に対応する音楽情報を取得する。この取得処理は、再生前の符号化された状態の音楽情報に対して行われる。取得された音楽情報は、ハードディスク２０に一時的に格納される。なお、この取得された音楽情報は、ハードディスク装置２０に格納されている蓄積音楽情報２００と区別するために、図２では、取得音楽情報２０２としてハードディスク装置２０に格納される。また、ラジオ受信機１２からは、符号化された音声情報が出力されないため、再生後のアナログの音声信号に対して所定のサンプリングレートでＡ／Ｄ（アナログ−デジタル）変換を行ったデータが取得音楽情報２０２としてハードディスク装置２０に格納される。
【００３０】
解析部１１２は、音楽情報記録部１１０によって取得された取得音楽情報２０２の内容を解析する。この解析により、音楽情報の楽曲の同一性を判定可能な情報が抽出される。例えば、ＣＤプレーヤ１４を用いた再生動作に対応して取得された取得音楽情報２０２の場合には、ＴＯＣ（Ｔａｂｌｅ　Ｏｆ　Ｃｏｎｔｅｎｔｓ）情報が抽出される。また、ＭＰ３プレーヤ１８を用いた再生動作に対応して取得された取得音楽情報２０２の場合には、タグ情報が抽出される。また、ラジオ受信機１２を用いた再生動作に対応して取得された取得音楽情報２０２の場合のように、これらのＴＯＣ情報やタグ情報に相当する楽曲を特定可能な情報が存在しない場合には、楽曲の先頭部分について特徴抽出を行って、楽曲の同一性判断を行うようにしてもよい。
【００３１】
検索部１１４は、解析部１１２による解析結果に基づいて、取得音楽情報２０２と同じ楽曲の音楽情報を蓄積音楽情報２００の中から検索する。例えば、この検索処理は、ハードディスク装置２０に格納された管理情報２０４を用いて行われる。この管理情報２０４は、蓄積音楽情報２００に含まれる複数の音楽情報のそれぞれの楽曲を特定するために必要な情報であり、上述したＴＯＣ情報やタグ情報に基づいて楽曲のアーティスト名や曲目がわかっている場合にはこれらの情報が含まれている。また、取得音楽情報２０２がＴＯＣ情報やタグ情報を含まない場合には楽曲のアーティスト名等がわからないが、このような場合であっても楽曲の同一性を判断することができるように、蓄積音楽情報２００に含まれる各音楽情報を再生したときの先頭部分について特徴抽出を行った結果が管理情報２０４には含まれている。したがって、検索部１１４は、解析部１１２による解析結果に基づいて管理情報２０４を調べることにより、取得音楽情報２０２と同じ楽曲の音楽情報を蓄積音楽情報２００の中から検索することが可能になる。
【００３２】
比較部１１６は、検索部１１４によって蓄積音楽情報２００の中から検索された音楽情報の品質と、取得音楽情報２０２の品質とを比較し、これら２つの音楽情報の品質の関係が基準情報２０６を満たしているときに、書換処理の実行を決定する。
【００３３】
図３は、基準情報２０６の具体例を示す図である。図３では、基準情報２０６がテーブルの形式で示されており、このテーブルに示された関係を満たす場合に、取得音楽情報２０２の品質の方が蓄積音楽情報２００に含まれる同じ楽曲の音楽情報の品質よりも良好であって書換処理の実行が決定される。
【００３４】
「音質」については、取得音楽情報２０２の音質の方が蓄積音楽情報の音質よりも良好であるときに、取得音楽情報２０２の品質の方が良好であると判定される。
「映像データ」については、取得音楽情報２０２に映像データが付随し、蓄積音楽情報に映像データが付随していないときに、取得音楽情報２０２の品質の方が良好であると判定される。また、どちらにも映像データが付随している場合には、取得音楽情報２０２に動画の映像データが付随し、蓄積音楽情報に静止画の映像データが付随しているときに、取得音楽情報２０２の品質の方が良好であると判定される。
【００３５】
符号化方式が同じ場合の「圧縮率」については、取得音楽情報２０２の圧縮率の方が蓄積音楽情報の圧縮率よりも低いときに、取得音楽情報２０２の品質の方が良好であると判定される。例えば、ＭＰ３方式の音楽情報同士を比較すると、圧縮率が低くビットレートが高い方が再生音声の音質が良好であるため、これに対応する音楽情報の方が品質が高いと判断される。
【００３６】
「再生時間」については、取得音楽情報２０２に対応する再生時間の方が蓄積音楽情報に対応する再生時間よりも長い場合に、取得音楽情報２０２の品質の方が良好であると判定される。
「タグ情報」については、取得音楽情報２０２にタグ情報が付随し、蓄積音楽情報にタグ情報が付随していないときに、取得音楽情報２０２の品質の方が良好であると判定される。同様に、「ＴＯＣ情報」については、取得音楽情報２０２にＴＯＣ情報が付随し、蓄積音楽情報にＴＯＣ情報が付随していないときに、取得音楽情報２０２の品質の方が良好であると判定される。
【００３７】
また、符号化方式が異なる２つの音楽情報については、音質を基準に品質が比較される。すなわち、符号化方式が異なると、データの圧縮率やビットレートの一致不一致を調べても品質の良し悪しがわからないため、音質に置き換えて品質を判断すればよい。具体的には、符号化方式が異なる２つの音楽情報について、音質が同等となる圧縮率やビットレートがわかっている場合には、これらの関係を満たす値を図３に示すテーブルに含ませておけばよい。
【００３８】
図３に示した各項目を組み合わせることにより、複数種類の音楽情報の品質の順番を決定することが可能になる。例えば、▲１▼映像データおよびタグ情報が付随しない音楽情報、▲２▼静止画の映像データが付随した音楽情報、▲３▼静止画の映像データとタグ情報が付随した音楽情報、▲４▼動画の映像データとタグ情報が付随した音楽情報は、この順番で品質が高くなる（良好になる）。
【００３９】
書換処理部１１８は、比較部１１６によって書換処理の実行を決定したときに、取得音楽情報２０２を用いてこれと同じ楽曲の蓄積音楽情報２００内の音楽情報を書き換える処理を実行する。この場合には、蓄積音楽情報２００に含まれる一の音楽情報が、これより品質の良好な取得音楽情報２０２に自動的に置き換えられる。また、この音楽情報の書換処理と並行して、書換処理部１１８は、管理情報２０４の該当内容も書き換える処理を行う。
【００４０】
なお、図３に示す音質等の全項目について、取得音楽情報２０２の品質が蓄積音楽情報の品質よりも良好あるいは同程度である場合には書換処理部１１８による書換処理が実行されるが、全項目について、取得音楽情報２０２の品質が蓄積音楽情報の品質よりも悪いあるいは同程度である場合には書換処理部１１８による書換処理は実行されない。また、その中間、すなわち、一部の項目について取得音楽情報２０２の品質が蓄積音楽情報の品質よりも良好であるが、他の項目について取得音楽情報２０２の品質が蓄積音楽情報の品質よりも悪い場合には、書換処理部１１８は、書換処理を実行する代わりに、取得音楽情報２０２を単に蓄積音楽情報２００に追加記録する処理を行う。
【００４１】
上述したハードディスク装置２０が音楽情報蓄積装置に、デジタル放送受信機１０、ラジオ受信機１２、ＣＤプレーヤ１４、ＭＤプレーヤ１６、ＭＰ３プレーヤ１８、メモリカード２２、カードスロット２４が音楽情報取得手段に、解析部１１２、検索部１１４が検索手段に、比較部１１６が比較判定手段に、書換処理部１１８が書換処理手段、音楽情報追加手段に、音楽・映像再生部１００が音楽再生手段にそれぞれ対応する。
【００４２】
本実施形態の音楽情報記録再生装置はこのような構成を有しており、次にその動作を説明する。
図４は、本実施形態の音楽情報記録再生装置の動作手順を示す流れ図であり、デジタル放送受信機１０等の各種オーディオソースを用いた再生動作中に音楽情報の書換処理を行う場合の動作手順が示されている。
【００４３】
まず、音楽情報記録部１１０は、音楽・映像再生部１００によっていずれかのオーディオソースを用いた音楽再生中か否かを判定する（ステップ１００）。再生中でない場合には否定判断が行われ、この判定が繰り返される。また、再生中である場合にはステップ１００の判定において肯定判断が行われ、次に、音楽情報記録部１１０は、再生対象となっているオーディオソースから出力される再生前の符号化された状態の音楽情報を取得してハードディスク２０に格納する（ステップ１０１）。
【００４４】
次に、解析部１１２は、音楽情報記録部１１０によってハードディスク装置２０に格納された取得音楽情報２０２の内容を解析し（ステップ１０２）、検索部１１４は、この解析結果を用いて取得音楽情報２０２と同じ楽曲の音楽情報を蓄積音楽情報２００の中から検索する（ステップ１０３）。
【００４５】
次に、比較部１１６は、取得音楽情報２０２の品質と、蓄積音楽情報２００に含まれる同じ楽曲の音楽情報の品質とを比較し（ステップ１０４）、基準情報２０６に基づいて書換処理を行うか否かを判定する（ステップ１０５）。取得音楽情報の品質の方が高い場合には肯定判断が行われ、次に、書換処理部１１８は書換処理を実行する（ステップ１０６）。一方、取得音楽情報の品質の方が高いとはいえない場合にはステップ１０５の判定において否定判断が行われ、次に、書換処理部１１８は、取得音楽情報２０２を蓄積音楽情報２００に追加記録するか否かを判定する（ステップ１０７）。上述したように、図３に示した各項目について品質が良好な項目と品質が悪い項目が混在するような場合にはステップ１０７の判定において肯定判断が行われ、書換処理部１１８による追加記録処理が実行される（ステップ１０８）。
【００４６】
ステップ１０６による書換処理やステップ１０８による追加記録処理が行われた後、あるいは、ステップ１０７の判定において否定判断が行われた場合にはその後、音楽情報記録部１１０は、音楽・映像再生部１００による再生動作が終了したか否かを判定し（ステップ１０９）、未終了の場合には否定判断を行ってこの判定を繰り返す。また、再生動作が終了するとステップ１０９の判定において肯定判断が行われ、ステップ１００に戻って再び再生動作の判定処理が繰り返される。
【００４７】
このように、ハードディスク装置２０に格納されている蓄積音楽情報２００を所定の基準にしたがって自動的に書き換えることが可能になるため、書き換え作業が不要であって、音楽情報の書き換えに要する手間を軽減するとともに時間を短縮することができる。特に、音楽情報の品質を基準にして書き換えを行うことにより、ハードディスク装置２０に格納された蓄積音楽情報２００を順に品質が高いものに書き換えることが可能になる。
【００４８】
なお、本発明は上記実施形態に限定されるものではなく、本発明の要旨の範囲内において種々の変形実施が可能である。上述した実施形態では、車両に搭載された音楽情報記録再生装置を考えたが、家庭用あるいは業務用であって据置型の音楽情報記録装置に本発明を適用するようにしてもよい。また、オーディオソースとしてのデジタル放送受信機１０等は一例であって、音楽情報の取得が可能な他の装置を組み合わせるようにしてもよい。例えば、ディスク型記録媒体としてＣＤとＭＤを用いる場合について説明したが、最近では大容量のＤＶＤ（デジタルバーサタイルディスク）やＭＯ（光磁気ディスク）等も出回っているため、これらが装填可能なプレーヤを用いるようにしてもよい。
【００４９】
また、上述した実施形態では、取得音楽情報２０２の品質の方が蓄積音楽情報２００に含まれる同じ楽曲の音楽情報の品質よりも良好なときに、この楽曲の音楽情報全体を書き換えるようにしたが、映像データ等の付随情報の分離等が可能な場合には、付随情報のみを書き換えたり、追加するようにしてもよい。
【００５０】
また、上述した実施形態では、音楽情報の書換処理を自動的に行うようにしたが、書換処理を実行する前に利用者にその旨を確認するようにしてもよい。この場合には、例えば確認画面を操作した利用者によって、書き換え対象となっている２つの音楽情報の再生音声、再生映像を確認できるようにすることが望ましい。
【００５１】
【発明の効果】
上述したように、本発明によれば、音楽情報蓄積装置に蓄積されている音楽情報を所定の基準にしたがって自動的に書き換えることが可能になるため、書き換え作業が不要であって、音楽情報の書き換えに要する手間を軽減するとともに時間を短縮することができる。
【図面の簡単な説明】
【図１】一実施形態の車載用の音楽情報記録再生装置の構成を示す図である。
【図２】オーディオ制御部およびハードディスク装置の詳細構成を示す機能ブロック図である。
【図３】基準情報の具体例を示す図である。
【図４】本実施形態の音楽情報記録再生装置の動作手順を示す流れ図である。
【符号の説明】
１０　デジタル放送受信機
１２　ラジオ受信機
１４　ＣＤプレーヤ
１６　ＭＤプレーヤ
１８　ＭＰ３プレーヤ
２０　ハードディスク装置
２２　メモリカード
２４　カードスロット
２６　オーディオ制御部
２８　スピーカ
３０　ディスプレイ装置
３２　操作部
１００　音楽・映像再生部
１１０　音楽情報記録部
１１２　解析部
１１４　検索部
１１６　比較部
１１８　書換処理部
【図１】
2004134010.tif 000003
【図２】
2004134010.tif 000004
【図３】
2004134010.tif 000005
【図４】
2004134010.tif 000006